(57)【要約】【課題】画像形成装置において、一時的に動作音量を低減して動作を実行しつつ、ユーザに不快感を与えないようにする。【解決手段】画像形成装置において静音ボタンが操作されると、当該画像形成装置は静音モードに移行する。静音モードでは、稼動音量が低減されるように、モータが停止または回転速度を低下されたり、ファンの回転数が低下されたり、用紙の搬送速度が低下したりする。再度静音ボタンが操作されると、静音モードが解除される。なお、静音モードが解除される際には、稼動音量が徐々に上昇するように、各要素の動作が復帰する。【選択図】図１
2012108365.tif 000002
【特許請求の範囲】
【請求項１】
記録用紙に画像を形成するために稼動する稼動部を有する画像形成装置であって、
前記稼動部による稼動音を小さくさせる静音モードへの移行および前記静音モードの解除を指示入力するための入力手段と、
前記稼動部の動作を制御する制御手段とを備え、
前記制御手段は、
前記入力手段からの前記静音モードへの移行の指示入力に応答して、前記稼動部の稼動音を小さくさせるように制御する第１の制御を実行し、
前記入力手段からの前記静音モードの解除の指示入力に応答して、前記稼動部の稼動状態を、前記稼動部の稼動音を段階的に大きくさせながら前記第１の制御前の状態に戻す第２の制御を実行する、画像形成装置。
【請求項２】
前記稼動部は、画像を形成した記録用紙を排出する排出手段を有し、
前記制御手段は、前記排出手段の単位時間あたりの記録用紙の排出量を低下させることにより、前記第１の制御を実行する、請求項１記載の画像形成装置。
【請求項３】
前記稼動部は、ジョブを実行し、
前記制御手段は、前記第２の制御において、前記稼動部がこれから実行する複数のジョブの各々について、実行される際の前記稼動部の稼動音の大きさを予測し、予測された稼動音が小さいジョブから順に前記稼動部に実行させる、請求項２記載の画像形成装置。
【請求項４】
ジョブにおける設定項目について、設定内容に応じた前記稼動部の稼動音の大きさの指標を記憶する記憶手段をさらに備え、
前記複数のジョブの各々について、各ジョブにおける設定内容に対応した前記指標を取得し、当該取得した指標の和を算出することにより、前記稼動部の稼動音の大きさを予測する、請求項３記載の画像形成装置。
【請求項５】
前記稼動部は、画像を形成された記録用紙に対する後処理動作を実行する後処理手段を有し、
前記指標は、当該指標が対応する前記設定内容が前記後処理動作を含む場合よりも含まない場合の方が、前記稼動部の稼動音が大きいことを示す値になる、請求項３または請求項４記載の画像形成装置。
【請求項６】
前記稼動部は、前記画像形成装置内で空気を循環させるファンと、画像を形成された記録用紙に当該画像を定着させるための定着手段を有し、
前記記憶手段は、第１の設定内容と第２の設定内容のそれぞれについて前記指標を記憶し、
前記第１の設定内容は、前記第２の設定内容よりも、前記定着手段の定着温度が高くかつ前記ファンの回転数が大きく、
前記第１の設定内容に対応した前記指標は、前記第２の設定内容に対応した前記指標よりも、前記稼動部の稼動音が大きいことを示す値になる、請求項３〜請求項５のいずれかに記載の画像形成装置。
【請求項７】
前記制御手段は、前記静音モードの解除の指示入力に応答して、所定の時間ごと、１枚の記録用紙に対する画像形成ごと、１ジョブについての画像形成ごと、または、予め定められた所定の条件が満たされるごとに、段階的に、前記移行前の稼動状態に向けて前記稼動部の稼動音が段階的に大きくなるように、前記稼動部を制御する、請求項１〜請求項６のいずれかに記載の画像形成装置。
【発明の詳細な説明】
【技術分野】
【０００１】
この発明は、特に稼動音の低音技術における画像形成装置に関する。
【背景技術】
【０００２】
従来より、記録媒体上に画像を形成するプリンタや複写機が知られている。
これらプリンタや複写機に代表される画像形成装置には、トナー画像を形成し、そのトナー画像を定着器により加熱および加圧することで記録媒体上に定着させて記録媒体上に画像を形成するものがある。この様な画像形成装置には、定着器から発生する熱を、装置の筐体の一部に設けられた排気口から筐体外に排出するための排気ファンや、記録用紙を搬送するためのローラなど、様々な動作部材が配備されている。
【０００３】
近年では、装置内に配備されているこれら動作部材が動作することで発生する稼動音が騒音源として問題視される場面がある。そして、このような問題について、種々の改善策が検討されてきた。
【０００４】
たとえば、特許文献１（特開２００４−１９８８８９号公報）には、動作音量の異なる２つのモードを有する画像形成装置が開示されている。当該画像形成装置では、複写機能とプリント機能を有し、プリント機能を実現する場合であって所定の内容が設定されている場合に静音モードに入る等、実行する機能や装置における設定内容に応じて、動作音量の低いモードで動作するか否かが決定される技術が開示されている。
【０００５】
また、特許文献２（特開２００８−１９７２５２号公報）には、動作音量の異なる２つのモードを有し、環境騒音のレベルを検出する機能を有する画像形成装置が開示されている。当該画像形成装置では、環境騒音の音量が特定の音量よりも低くなったことを条件として、動作音量の低いモードで動作が実行される。
【先行技術文献】
【特許文献】
【０００６】
【特許文献１】特開２００４−１９８８８９号公報
【特許文献２】特開２００８−１９７２５２号公報
【発明の概要】
【発明が解決しようとする課題】
【０００７】
上記した従来の画像形成装置では、いずれも、動作音量が低いモードから高いモードに復帰する際、急激に動作音量が変更されることになるため、当該画像形成装置の近傍に居るユーザに不快感を与える場合があった。
【０００８】
本発明は、かかる実情に鑑み考え出されたものであり、その目的は、画像形成装置において、一時的に動作音量を低減して動作を実行しつつ、ユーザに不快感を与えないようにすることである。
【課題を解決するための手段】
【０００９】
本発明に従った画像形成装置は、記録用紙に画像を形成するために稼動する稼動部を有する画像形成装置であって、稼動部による稼動音を小さくさせる静音モードへの移行および静音モードの解除を指示入力するための入力手段と、稼動部の動作を制御する制御手段とを備え、制御手段は、入力手段からの静音モードへの移行の指示入力に応答して、稼動部の稼動音を小さくさせるように制御する第１の制御を実行し、入力手段からの静音モードの解除の指示入力に応答して、稼動部の稼動状態を、稼動部の稼動音を段階的に大きくさせながら第１の制御前の状態に戻す第２の制御を実行する。
【００１０】
また、本発明の画像形成装置では、稼動部は、画像を形成した記録用紙を排出する排出手段を有し、制御手段は、排出手段の単位時間あたりの記録用紙の排出量を低下させることにより、第１の制御を実行することが好ましい。
【００１１】
また、本発明の画像形成装置では、稼動部は、ジョブを実行し、制御手段は、第２の制御において、稼動部がこれから実行する複数のジョブの各々について、実行される際の稼動部の稼動音の大きさを予測し、予測された稼動音が小さいジョブから順に稼動部に実行させることが好ましい。
【００１２】
また、本発明の画像形成装置は、ジョブにおける設定項目について、設定内容に応じた稼動部の稼動音の大きさの指標を記憶する記憶手段をさらに備え、複数のジョブの各々について、各ジョブにおける設定内容に対応した指標を取得し、当該取得した指標の和を算出することにより、稼動部の稼動音の大きさを予測することが好ましい。
【００１３】
また、本発明の画像形成装置では、稼動部は、画像を形成された記録用紙に対する後処理動作を実行する後処理手段を有し、指標は、当該指標が対応する設定内容が後処理動作を含む場合よりも含まない場合の方が、稼動部の稼動音が大きいことを示す値になることが好ましい。
【００１４】
また、本発明の画像形成装置では、稼動部は、画像形成装置内で空気を循環させるファンと、画像を形成された記録用紙に当該画像を定着させるための定着手段を有し、記憶手段は、第１の設定内容と第２の設定内容のそれぞれについて指標を記憶し、第１の設定内容は、第２の設定内容よりも、定着手段の定着温度が高くかつかつファンの回転数が大きく、第１の設定内容に対応した指標は、第２の設定内容に対応した指標よりも、稼動部の稼動音が大きいことを示す値になることが好ましい。
【００１５】
また、本発明の画像形成装置では、制御手段は、静音モードの解除の指示入力に応答して、所定の時間ごと、１枚の記録用紙に対する画像形成ごと、１ジョブについての画像形成ごと、または、予め定められた所定の条件が満たされるごとに、段階的に、移行前の稼動状態に向けて稼動部の稼動音が段階的に大きくなるように、稼動部を制御することが好ましい。
【発明の効果】
【００１６】
上記構成によれば、画像形成装置は、静音モードへの移行の指示入力がなされると、稼動部の稼動音が小さくなり、そして、静音モードの解除の指示入力がなされると、稼動部の稼動音を段階的に大きくさせながら、静音モードへの移行指示前の状態へと戻る。
【００１７】
つまり、静音モードにおいて稼動音が一時的に小さくされた後、元に戻される場合には、段階的に大きくされる。
【００１８】
これにより、画像形成装置において、一時的に動作音量を低減して動作を実行しつつ、元の動作音量へと復帰する際に急激に動作音量が大きくなることによりユーザに不快感を与えことを回避することができる。
【図面の簡単な説明】
【００１９】
【図１】本発明の実施の形態に従う画像形成装置の構成を説明する図である。
【図２】本発明の実施の形態に従う画像形成装置の概略ブロック図である。
【図３】本発明の実施の形態に従う操作ディスプレイについて説明する図である。
【図４】本発明の実施の形態に従う静音モードに移行するフローを説明する図である。
【図５】本発明の実施の形態に従う起動静音モードについて説明するフロー図である。
【図６】本発明の実施の形態に従うスタンバイ静音モードについて説明するフロー図である。
【図７】本発明の実施の形態に従う印字静音モードについて説明するフロー図である。
【図８】本発明の実施の形態に従う印字静音モードについて説明する別のフロー図である。
【図９】本発明の実施の形態に従う印字静音モードについて説明するさらに別のフロー図である。
【図１０】本発明の実施の形態に従うローラを制御する制御ブロックを説明する図である。
【図１１】本発明の実施の形態に従う印字静音モードについて説明するさらに別のフロー図である。
【図１２】本発明の実施の形態に従う印字静音モードについて説明するさらに別のフロー図である。
【図１３】本発明の実施の形態に従う予約テーブルの更新を説明する図である。
【図１４】ジョブ種類に基づく点数を表現するためのランク分けテーブルを説明する図である。
【図１５】本発明の実施の形態に従う用紙の傾き等の曲がりを補正するための補正ローラの制御について説明する図である。
【図１６】本発明の実施の形態に従う印字静音モードについて説明するさらに別のフロー図である。
【図１７】本発明の実施の形態に従う印字静音モードについて説明するさらに別のフロー図である。
【図１８】本発明の実施の形態に従う静音モード解除処理について説明するフロー図である。
【図１９】本発明の実施の形態に従う静音モード解除処理について説明するさらに別のフロー図である。
【図２０】本発明の実施の形態に従う静音モード解除処理について説明するさらに別のフロー図である。
【図２１】本発明の実施の形態に従う静音モード解除処理について説明するさらに別のフロー図である。
【図２２】本発明の実施の形態に従う静音モード解除処理について説明するさらに別のフロー図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
［１．画像形成装置の概略構成］
図１は、本発明の実施の形態に従う画像形成装置の構成を説明する図である。
【００２２】
図１を参照して、画像形成装置１００は複写機を構成し、複数の稼動部で構成される。具体的には、画像形成装置１００は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０と、記録用紙に対する後処理を実行するための後処理部３０とを含む。また、画像形成装置１００内には、全体を制御する制御部、指示等を入力するための入力部等が設けられる。また、画像形成装置１００内には機内の温度を冷却するための機内用ファン３００も設けられる。
【００２３】
原稿搬送部２０の原稿台２１上に載置された原稿は、搬送ローラ２２等により搬送されて画像読取部２６により読取られて、排紙トレイ２３に排出される。
【００２４】
また、画像読取部２６のＣＣＤ（Charge Coupled Devices）２４は、例えば原稿搬送部２０で搬送された原稿を読取った画像データを取得する。そして、制御部５０に出力する。
【００２５】
画像形成部１０は、像担持体である感光体、帯電部、露光装置、現像装置、転写ローラ等を有し、搬送される記録用紙Ｐに画像を形成して画像面が未定着である記録済みの記録用紙Ｐを定着部４０へ出力する。なお、本例においては図示されていないが４つの現像装置が設けられており、イエロー、マゼンタ、シアン、ブラックのそれぞれの色を用いてカラープリントが可能であるものとする。
【００２６】
定着部４０は、未定着である記録済みの記録用紙Ｐに対して定着処理を実行する。定着部４０には、ファン３１０と、定着ローラ３１２と、定着ローラ３１２内に設けられたヒータ３１４とが設けられている。
【００２７】
定着部４０から必要に応じて後処理部３０に排出されて、後処理部３０において、パンチング、ステープル処理等の後処理が実行される。
【００２８】
給紙部１５，１６は、記録用紙Ｐを画像形成部１０に給紙する。
給紙部１５には、複数のサイズの異なる記録用紙が収納されたカセット１３２，１４２，１５２が設けられる。カセット１３２，１４２，１５２にそれぞれ対応して、ピックアップローラ１３１，１４１，１５１が設けられ、カセットから記録用紙を画像形成部１０に搬送する。また、給紙部１６からもピックアップローラ１６１を介して画像形成部１０に搬送される。なお、給紙部１５，１６から画像形成部１０に１枚ずつ記録用紙が搬送される。
【００２９】
また、画像形成部１０には、用紙の傾き等の曲がりを補正するための補正ローラが設けられており、この点については後述する。
【００３０】
［２．画像形成装置のブロック構成］
図２は、本発明の実施の形態に従う画像形成装置１００の概略ブロック図である。
【００３１】
図２を参照して、ここでは、画像形成装置１００の全体を制御する制御部５０と、後処理を実行するための後処理部３０と、記録用紙を給紙する給紙部１５，１６と、操作ディスプレイ等を含む入力部６０と、画像を形成するための画像形成部１０と、メモリ７０と、画像読取部２６と、原稿搬送部２０と、定着部４０と、機内用ファン３００を制御するための機内用ファン制御部５２とが設けられる。
【００３２】
制御部５０は、例えば、ＣＰＵ（Central Processing unit）で構成され、メモリ７０に格納された種々のアプリケーションプログラムを読み込んで、各部を制御する。
【００３３】
定着部４０は、定着ローラ３１２の駆動を制御するための定着ローラ駆動制御部４２と、定着部４０に設けられたファン３１０を制御するためのファン制御部４４と、ヒータ３１４を制御するためのヒータ制御部４６とを含む。
【００３４】
画像形成部１０は、記録用紙を搬送するために種々のローラを駆動するためのローラ駆動制御部１０２と、補正ローラを制御する曲がり補正部１０４と、トナー濃度を検出するためのパターンを生成して、当該生成したパターンを検出して、トナー濃度を調整するパッチ補正を実行するためのパッチ補正部１０６とを含む。
【００３５】
［３．操作ディスプレイ］
図３は、本発明の実施の形態に従う操作ディスプレイ２００について説明する図である。
【００３６】
図３を参照して、操作ディスプレイ２００は、表示部２１２と、集音マイク２０４と、認証センサ２０８と、静音ボタン２１４と、１０キー２０２と、スタートボタン２１０とを含む。
【００３７】
表示部２１２上にはタッチパネルが設けられており、表示部２１２上において所定の操作が可能である。
【００３８】
集音マイク２０４は、入力部の一部として機能し音声による指示が可能であるものとする。
【００３９】
また、認証センサ２０８は、カードキー等からデータを読み出して認証処理を実行する。なお、カードキーのみならず、生体認証を実行するようにしても良い。
【００４０】
静音ボタン２１４は、当該静音ボタン２１４の押下に応答して後述する本発明の実施の形態に従う静音モードを実現するためのボタンである。
【００４１】
１０キー２０２は、コピー等の枚数を入力するためのボタンである。スタートボタン２１０は、コピー／スキャン等の処理の実行を指示するボタンである。
【００４２】
また、表示部２１２には、各種モードの表示やその他の表示が行われる。そして、タッチパネルによって、表示内容に従った各種設定を行うことができる。例えば、表示部２１２には、通常は、コピー動作やスキャン動作を実行する際に行う基本的／応用的な設定のためのボタンが配置されている。各ボタンを押下すると、その詳細設定を行うための階層画面が表示される。
【００４３】
さらに、表示部２１２には、その時点で画像形成装置１００に予約されているジョブ情報が表示される。具体的には、実行されるべきジョブがジョブＩＤ順に表示される。特定のジョブに対して消去や変更等の操作を行う場合は、ジョブ操作ボタンを選択した後、操作対象となるジョブ番号ボタンを押下する。それらの操作によってジョブ操作画面が表示され、特定のジョブに対する操作が可能となる。
【００４４】
［４．静音モードへの移行］
以下に、本発明の実施の形態に従う静音モードについて説明する。
【００４５】
図４は、本発明の実施の形態に従う静音モードに移行するフローを説明する図である。具体的には、制御部５０がメモリ７０に格納されたプログラムを読み込むことにより実現されるものとする。
【００４６】
図４を参照して、まず、制御部５０は、電源がＯＮされたかどうかを判断する（ステップＳ２）。
【００４７】
次に、制御部５０は、電源がＯＮされたと判断した場合（ステップＳ２においてＹＥＳ）には、次に、静音ボタンが押下されたかどうかを判断する（ステップＳ４）。具体的には、上述した図３の操作ディスプレイ２００における静音ボタン２１４の押下が有ったかどうかを判断する。本例において、制御部５０は、静音ボタン２１４の入力があった場合には、その入力があったタイミングにおいて、画像形成装置がどのような状態であるかを判断して、その状態に応じた静音モードを切り替える。一例として、３つの静音モードのいずれかに切り替える。
【００４８】
制御部５０は、静音ボタンが押下されたと判断した場合（ステップＳ４においてＹＥＳ）には、次に、起動中であるかどうかを判断する（ステップＳ４）。電源がＯＮされた直後において画像形成装置１００は、一般的に起動処理を開始する。起動処理としては、各部が正常に駆動するか否かを判断する動作（イニシャル動作）が実行される。例えば、定着部４０においては、定着ローラ３１２の回転動作が開始される。また、定着部４０内に設けられたファン３１０が回転する。また、定着部４０に設けられたヒータ３１４に対する通電制御が実行される。イニシャル動作として、他の部位においても、正常に駆動するか否か判断するための所定の動作が実行される。
【００４９】
そして、制御部５０は、静音ボタンの入力が起動中であると判断した場合（ステップＳ４においてＹＥＳ）には、起動静音モードに移行する（ステップＳ８）。起動静音モードの詳細については後述する。
【００５０】
ステップＳ６において、制御部５０は、静音ボタンの入力が起動中でないと判断した場合（ステップＳ４においてＮＯ）には、静音ボタンの入力が印字動作中であるかどうかを判断する（ステップＳ１０）。印字動作中である場合とは、画像形成装置１００が起動時ではなく、また、スタンバイ時でもない画像形成等の処理が実行されている場合である。
【００５１】
制御部５０は、静音ボタンの入力が印字動作中であると判断した場合（ステップＳ１０においてＹＥＳ）には、印字静音モードに移行する。印字静音モードの詳細については後述する。
【００５２】
次に、ステップＳ１０において、制御部５０は、静音ボタンの入力が印字動作中でないと判断した場合（ステップＳ１０においてＮＯ）には、スタンバイ中であるかどうかを判断する（ステップＳ１４）。ステップＳ１４において、制御部５０は、静音ボタンの入力がスタンバイ中であると判断した場合（ステップＳ１４においてＹＥＳ）には、スタンバイ静音モードに移行する（ステップＳ１６）。スタンバイ静音モードの詳細については後述する。
【００５３】
一方、ステップＳ１４において、制御部５０は、静音ボタンの入力がスタンバイ中でないと判断した場合（ステップＳ１４においてＮＯ）には、無効な入力としてステップＳ４に戻る。
【００５４】
［５．起動静音モード］
図５は、本発明の実施の形態に従う起動静音モードについて説明するフロー図である。具体的には、制御部５０がメモリ７０に格納されたプログラムを読み込むことにより実現されるものとする。本例においては、一例として複数の稼動部の１つとして定着部４０における処理について説明する。
【００５５】
図５を参照して、制御部５０は、定着部４０の定着ローラ３１２の回転動作を停止する（ステップＳ２０）。
【００５６】
そして、次に、定着部４０に設けられたヒータ３１４に対する通電制御も停止する（ステップＳ２２）。
【００５７】
次に、制御部５０は、定着部４０内に設けられたファン３１０の回転を停止する（ステップＳ２４）。
【００５８】
次に、制御部５０は、静音ボタン２１４の再押下があったかどうかを判断する（ステップＳ２６）。
【００５９】
ステップＳ２６において、静音ボタン２１４の再押下があった場合には、各部材の停止を解除することによって、静音モードを解除する工程を実行する（ステップＳ２８）。静音モードを解除する工程の内容については、後述する。そして、処理を終了する（エンド）。
【００６０】
一方、静音ボタン２１４の再押下がなかった場合には、ステップＳ２６の状態を維持する。
【００６１】
当該起動静音モードにおいて、例えば、定着部４０におけるイニシャル動作を停止させることにより、起動時における騒音材料となる定着部４０の動作をすぐに停止して、稼動音量を低減して静音状態とすることが可能である。なお、再び、静音ボタン２１４を再押下することによりイニシャル動作を復帰させることが可能である。
【００６２】
本実施の形態において、稼動音量とは、画像形成装置１００におけるモータやローラ、ファン等の各要素が回転等の動作をすることにより発生する音量の総和である。
【００６３】
なお、本例においては、定着部４０について説明したが定着部４０に限られず画像形成部１０等のイニシャル動作についても同様に適用可能である。
【００６４】
［６．スタンバイ静音モード］
図６は、本発明の実施の形態に従うスタンバイ静音モードについて説明するフロー図である。具体的には、制御部５０がメモリ７０に格納されたプログラムを読み込むことにより実現されるものとする。本例においては、一例として複数の稼動部の１つとして定着部４０における処理について説明する。スタンバイ時においても、定着部４０においては、定着部４０の温度制御のためのヒータ３１４の通電制御、また、定着ローラ３１２の回転、ファン３１０の回転が行われている。
【００６５】
図６を参照して、制御部５０は、定着部４０の定着ローラ３１２の回転動作を停止する（ステップＳ３０）。
【００６６】
そして、次に、定着部４０に設けられたヒータ３１４に対する通電制御も停止する（ステップＳ３２）。
【００６７】
次に、制御部５０は、定着部４０内に設けられたファン３１０の回転を停止する（ステップＳ３４）。
【００６８】
次に、制御部５０は、静音ボタン２１４の再押下があったかどうかを判断する（ステップＳ３６）。
【００６９】
ステップＳ３６において、静音ボタン２１４の再押下があった場合には、各部材の停止を解除することによって、静音モードを解除する工程を実行する（ステップＳ３８）。静音モードを解除する工程の内容については、後述する。そして、処理を終了する（エンド）。
【００７０】
一方、静音ボタン２１４の再押下がなかった場合には、ステップＳ３６の状態を維持する。
【００７１】
当該スタンバイ静音モードにおいても、例えば、定着部４０における動作を停止させることにより、スタンバイ時における騒音材料となる定着部４０の動作をすぐに停止して、稼動音量を低減して静音状態とすることが可能である。なお、本例においては、全ての動作を停止する場合について説明したが、これに限られず、少なくとも１つの騒音材料となる部材、例えば定着ローラ３１２の回転動作のみ停止させるようにしても良い。
【００７２】
［７．印字静音モード］
図７は、本発明の実施の形態に従う印字静音モードについて説明するフロー図である。具体的には、制御部５０がメモリ７０に格納されたプログラムを読み込むことにより実現されるものとする。本例においては、一例として複数の稼動部の１つとして画像形成部１０における処理について説明する。
【００７３】
図７を参照して、制御部５０は画像形成部１０のパッチ補正部１０６におけるパッチ補正動作を停止する（ステップＳ４０）。上述したように、パッチ補正部１０６は、トナー濃度を検出するためのパターンを生成して、当該生成したパターンを検出して、トナー濃度を調整する。当該パッチ補正動作は、例えば、一定時間毎に、あるいは、所定枚数の印字動作終了後等に実行されていた。本例において、制御部５０は、印字静音モードとなった場合に、当該パッチ補正動作を実行するパッチ補正部１０６の処理を停止させる。
【００７４】
そして、次に、制御部５０は、静音ボタン２１４の再押下があったかどうかを判断する（ステップＳ４２）。
【００７５】
ステップＳ４２において、静音ボタン２１４の再押下があった場合には、パッチ補正動作の停止を解除することによって、静音モードを解除する工程を実行する（ステップＳ４４）。静音モードを解除する工程の内容については、後述する。そして、処理を終了する（エンド）。
【００７６】
当該印字静音モードにおいて、例えば、画像形成部１０におけるパッチ動作を停止させることにより、印字時中における騒音材料となる画像形成部１０の補正動作を一時的に停止して、稼動音量を低減して静音状態とすることが可能である。なお、本例においては、印字静音モードにおいてパッチ補正動作を停止する場合について説明したが、スタンバイ時においてもパッチ補正動作が所定時間毎に行われる。したがって、スタンバイ静音モードにおいても同様の処理を実行するようにしても良い。
【００７７】
（変形例その１）
図８は、本発明の実施の形態に従う印字静音モードについて説明する別のフロー図である。具体的には、制御部５０がメモリ７０に格納されたプログラムを読み込むことにより実現されるものとする。本例においては、一例として複数の稼動部の１つとして画像形成部１０における処理について説明する。
【００７８】
図８を参照して、制御部５０は、画像形成部１０のローラ駆動制御部１０２におけるローラの回転を停止又は回転速度を変更する（ステップＳ５０）。上述したように、ローラ駆動制御部１０２は、記録用紙の搬送等を実行する。本例において、制御部５０は、印字静音モードとなった場合には、ローラ駆動制御部１０２におけるローラの回転を停止する。または、ローラ駆動制御部１０２におけるローラの回転速度を変更する。例えば、回転速度を遅くする。
【００７９】
そして、次に、制御部５０は、静音ボタン２１４の再押下があったかどうかを判断する（ステップＳ５２）。
【００８０】
ステップＳ５２において、静音ボタン２１４の再押下があった場合には、ローラの回転の停止又は回転速度の変更を解除することによって、静音モードを解除する工程を実行する（ステップＳ５４）。静音モードを解除する工程の内容については、後述する。そして、処理を終了する（エンド）。
【００８１】
当該印字静音モードにおいて、例えば、画像形成部１０におけるローラ駆動制御部１０２におけるローラの駆動を停止させることにより、印字時中における騒音材料となる画像形成部１０の記録用紙の搬送動作をすぐに停止して、稼動音量を低減して静音状態とすることが可能である。又はローラの駆動を停止させなくても、回転速度を例えば、遅くして記録用紙を搬送することにより、稼動音量を低減して静音状態とすることも可能である。
【００８２】
（変形例その２）
図９は、本発明の実施の形態に従う印字静音モードについて説明するさらに別のフロー図である。具体的には、制御部５０がメモリ７０に格納されたプログラムを読み込むことにより実現されるものとする。本例においては、一例として複数の稼動部の１つとして画像形成部１０における処理について説明する。
【００８３】
図９を参照して、制御部５０は画像形成部１０のローラ駆動制御部１０２におけるモータ駆動の方式を変更する（ステップＳ６０）。
【００８４】
図１０は、本発明の実施の形態に従うローラを制御する制御ブロックを説明する図である。
【００８５】
図１０を参照して、ローラ駆動制御部１０２は、モータドライバ１１２を制御する。モータドライバ１１２は、ローラを駆動するためのモータ１１４を制御する。
【００８６】
本例においては、モータドライバ１１２は、２つのモード（Ａモード／Ｂモード）を有しており、モータ１１４の回転角を一方のモードに従う駆動で制御する。本例においては、Ａモードでは、例えば、１．８度ずつの回転角でモータ１１４を制御するものとする。一方、Ｂモードでは、例えば、０．９度ずつの回転角でモータ１１４を制御するものとする。そして、モータドライバ１１２は、ローラ駆動制御部１０２からの指示に従って通常時においては、Ａモードでモータ１１４の回転角を制御する。そして、モータドライバ１１２は、ローラ駆動制御部１０２からの指示に従って印字静音モードにおいては、Ｂモードでモータ１１４の回転角を制御する。
【００８７】
再び、図９を参照して、次に、制御部５０は、静音ボタン２１４の再押下があったかどうかを判断する（ステップＳ６２）。
【００８８】
ステップＳ６２において、静音ボタン２１４の再押下があった場合には、静音モードを解除する工程を実行する（ステップＳ６４）。静音モードを解除する工程の内容については、後述する。そして、処理を終了する（エンド）。
【００８９】
当該印字静音モードにおいて、例えば、モータドライバ１１２におけるモータの駆動モードをＡモードからＢモードに変更することにより、モータの回転角の微調整が可能となり、回転制御における稼動音量を低減して静音状態とすることが可能である。
【００９０】
そして、静音モードが解除される際には、モータドライバ１１２におけるモータ１１４の駆動モードが、Ｂモードから再びＡモードに変更される。
【００９１】
（変形例その３）
図１１は、本発明の実施の形態に従う印字静音モードについて説明するさらに別のフロー図である。具体的には、制御部５０がメモリ７０に格納されたプログラムを読み込むことにより実現されるものとする。本例においては、一例として複数の稼動部の１つとして機内用ファン３００における処理について説明する。
【００９２】
図１１を参照して、ファンを停止する（ステップＳ７０）。例えば、一例として、制御部５０は、機内用ファン３００を制御するための機内用ファン制御部５２に機内用ファン３００を停止するように指示する。
【００９３】
そして、次に、制御部５０は、静音ボタン２１４の再押下があったかどうかを判断する（ステップＳ７２）。
【００９４】
ステップＳ７２において、静音ボタン２１４の再押下があった場合には、ステップＳ７０でのファンの停止を解除することにより、静音モードを解除する工程を実行する（ステップＳ７４）。静音モードを解除する工程の内容については、後述する。そして、処理を終了する（エンド）。
【００９５】
当該印字静音モードにおいて、例えば、制御部５０が機内用ファン制御部５２に対して機内用ファン３００における回転の停止を指示することにより、印字時中における騒音材料となる機内用ファン３００の回転をすぐに停止して、稼動音量を低減して静音状態とすることが可能である。
【００９６】
また、機内用ファン３００の停止とともに、以下の制御を組み合わせるようにしても良い。例えば、機内用ファン３００を停止させた場合であっても、機内の温度が上がりすぎないように画像形成部１０において低い温度で画像を形成させるジョブを優先して印字するように制御するようにしても良い。
【００９７】
（変形例その４）
図１２は、本発明の実施の形態に従う印字静音モードについて説明するさらに別のフロー図である。具体的には、制御部５０がメモリ７０に格納されたプログラムを読み込むことにより実現されるものとする。本例においては、一例として印字予約に関する処理について説明する。
【００９８】
図１２を参照して、制御部５０は予約テーブルを確認する（ステップＳ８０）。具体的には、現在、メモリ７０に記憶されている予約されているジョブが格納された予約テーブルを確認する。
【００９９】
そして、次に、予約テーブルに格納されたジョブを再配列する（ステップＳ８２）。
そして、次に、再配列されたジョブに従って予約テーブルを更新する（ステップＳ８４）。
【０１００】
そして、当該更新された予約テーブルに従ってジョブを実行する（ステップＳ８６）。
そして、処理を終了する（エンド）。
【０１０１】
図１３は、本発明の実施の形態に従う予約テーブルの更新を説明する図である。
図１３を参照して、ここでは、予約テーブルに３つのジョブが格納されている場合が示されている。具体的には、最初のジョブは、モノクロプリントであり、次のジョブは、カラープリントである。そして、その次のジョブは、モノクロプリントである。
【０１０２】
上記のジョブの再配列によりモノクロプリントのジョブを優先して再配列する。
モノクロプリントは、カラープリントよりも比較的低い定着温度で画像を形成することが可能であるため機内用ファン３００を停止させている場合であっても、モノクロプリントを優先的に実行することにより画像形成装置全体に影響を与えないようにすることが可能である。
【０１０３】
なお、本例においては、機内用ファン３００について説明したが、画像形成装置１００内には複数のファンが設けられており、例えば、オゾン排出用のファンや、定着部４０に設けられたファンや、電源装置に設けられたファン等もあり、その全ての回転を停止させる、または、そのうちの１つを停止させるようにしても良い。
【０１０４】
また、上記においては、モノクロプリントとカラープリントのジョブに従って、ジョブを再配列する場合について説明したが、静音化可能なジョブかどうかを点数で表現して分類することにより再配列するようにしても良い。
【０１０５】
図１４は、ジョブ種類に基づく点数を表現するためのランク分けテーブルを説明する図である。
【０１０６】
図１４を参照して、ここでは、用紙サイズ、画質、カラー／モノクロ、厚さのそれぞれに従って２つの場合分けがなされて、音が大きい方に高い点数を付与することが可能なテーブルが示されている。
【０１０７】
具体的には、用紙サイズが大きい場合（例えばＢ４以上）には１点、小さい場合（例えばＢ４未満）には０点が付与される。また、また、画質について、高画質の場合（たとえば、４００ｄｐｉ（dot per inch）以上）には１点、低画質（たとえば、４００ｄｐｉ未満）の場合には０点が付与される。また、カラーの場合には１点、モノクロの場合には０点が付与される。また、用紙の厚さが厚い場合には１点、薄い場合には０点として点数が付与されるものとする。また、後処理を１つ行なうたびに１点が付与される。たとえば、後処理として、「パンチ」「ステープラ」「ソート」の３種類をそれぞれ独立して行うことが可能である場合に、これら３種類のいずれか１種類が実行される場合には１点が、これらの中の２種類が実行される場合には２点が、これらすべてが実行される場合には３点が、これらのいずれもが実行されない場合には０点が、付与される。
【０１０８】
制御部５０は、各ジョブの内容に従って、ジョブごとに、上記ランク分けテーブルに従って点数を合算するものとする。
【０１０９】
例えば、用紙サイズが大、画質が高、カラープリント、用紙の厚さが厚く、後処理としてソートのみを実行し、印字速度が遅い、ジョブの場合には５点となる。
【０１１０】
一方、逆に、用紙サイズが小、画質が低、モノクロプリント、用紙の厚さが薄く、後処理はいずれも実行せず、印字速度が遅い、ジョブの場合には０点となる。
【０１１１】
そして、ステップＳ８２では、当該点数に従って、低い点数順にジョブを再配列する。
なお、点数が低いほど、静音化可能、つまり、ジョブを実行する際の稼動音量が小さいジョブと言える。図１４の各項目を稼動音量の観点から検討すると、用紙サイズが小さいほど、用紙の厚さが薄いほど、また、印字速度が遅いほど、当該用紙が画像形成装置１００内で搬送される際に発生する音が小さく、また、定着部４０における定着温度を低く設定できるため機内用ファン３００の回転数を低く設定でき、これにより、当該ファンの回転によって発生する音量を低くできると考えられるからである。また、カラープリントの方がモノクロプリントよりも定着部４０における定着温度を低く設定できるため、機内用ファン３００の回転数を低く設定でき、これにより、機内用ファン３００の回転によって発生する音量を低くできると考えられるからである。また、後処理動作の際には音が発生するため、実行する後処理動作の数が少ないほど、発生する音量は低くできる。また、低画質であれば画像を形成される用紙における印字率（用紙の印字面積に対するトナーを転写される面積の割合）が低くなり、これにより、定着部４０における定着温度を低く設定でき、機内用ファン３００の回転数を低く設定できるためである。なお、画質の高低は、たとえば印刷対象によって判定できる。具体的には、文字画像の場合には低画質であり、写真画像の場合には高画質であると判断される。
【０１１２】
当該処理により、静音化可能なジョブを分類して、静音化可能なジョブを優先して実行することにより、稼動音量を低減して静音状態とすることが可能である。
【０１１３】
なお、各ジョブの内容が、静音化が可能なものに変更可能な場合には、なるべく静音化を図るように設定内容を変更する。具体的には、たとえばあるジョブの印字速度が「速」と設定されている場合でも、「低」に設定変更が可能な場合（または、当該ジョブについて、印字速度の設定変更不可の情報が登録されていない場合）には、当該ジョブにおける印字速度が「速」から「遅」に変更された上で、上記ランク分けテーブルに従った点数の合算が行なわれる。
【０１１４】
（変形例その５）
図１５は、本発明の実施の形態に従う用紙の傾き等の曲がりを補正するための補正ローラの制御について説明する図である。
【０１１５】
図１５（Ａ）を参照して、ここでは、用紙の傾き等の曲がりを補正するための補正ローラ１８と、所定タイミングで補正ローラ１８に搬送するタイミングローラ１９とが設けられている場合が示されている。
【０１１６】
図１５（Ａ）を参照して、補正ローラ１８には、位置を調節する補正機構１７が設けられており、補正機構１７は、補正ローラ１８に対向する対向ローラとの距離を離間させたりすることができる。補正機構１７は、曲がり補正部１０４からの指示に従って動作する。
【０１１７】
また、補正機構１７は、補正ローラ１８の回転を停止させて、記録用紙が搬送されないようにすることも可能である。
【０１１８】
当該状態においてタイミングローラ１９により記録用紙が補正ローラ１８に搬送されると、補正ローラ１８に記録用紙が当接してループが形成される。
【０１１９】
そして、図１５（Ｂ）に示されるように補正機構１７により補正ローラ１８の位置を調整して、対向する対向ローラと離間させることによりループが解除されて用紙の傾き等の曲がりを補正することが可能となる。
【０１２０】
なお、このループが解除される際に用紙の擦れ音が騒音源となる場合がある。
本例においては、図１５（Ｃ）の如く、補正機構１７における記録用紙のループの形成およびループの解除を実行せずに、補正ローラ１８を回転させてタイミングローラ１９からの用紙を搬送することにより、用紙の擦れ音が生じるのを防止して騒音を低減することが可能である。
【０１２１】
図１６は、本発明の実施の形態に従う印字静音モードについて説明するさらに別のフロー図である。具体的には、制御部５０がメモリ７０に格納されたプログラムを読み込むことにより実現されるものとする。本例においては、一例として複数の稼動部の１つとして画像形成部１０の曲がり補正部１０４における処理について説明する。
【０１２２】
図１６を参照して、曲がり補正を停止する（ステップＳ９０）。上述したように制御部５０は、一例として、曲がり補正部１０４に曲がり補正の停止を指示する。
【０１２３】
そして、次に、制御部５０は、静音ボタン２１４の再押下があったかどうかを判断する（ステップＳ９２）。
【０１２４】
ステップＳ９２において、静音ボタン２１４の再押下があった場合には、曲がり補正の停止を解除することによって、静音モードを解除する工程を実行する（ステップＳ９４）。静音モードを解除する工程の内容については、後述する。そして、処理を終了する（エンド）。
【０１２５】
当該印字静音モードにおいて、例えば、制御部５０が曲がり補正部１０４に対して曲がり補正の停止を指示することにより、印字時中における騒音材料となる機内用ファン３００の回転をすぐに停止して、稼動音量を低減して静音状態とすることが可能である。
【０１２６】
上記においては、入力部として操作ディスプレイ２００の静音ボタン２１４から入力した場合の処理について説明したが、特に、これに限られず、例えば、集音マイク２０４を用いて所定の音声入力により静音モードに移行するように処理するようにしても良い。
【０１２７】
また、認証センサ２０８を用いて、認証処理に成功したユーザのみ静音ボタン２１４の入力が有効となるように制御するようにしても良い。なお、認証センサ２０８を用いずに、認証画面を操作ディスプレイ２００の表示部２１２に表示して認証処理を実行させて認証処理に成功したユーザのみ静音ボタン２１４の入力が有効となるように制御しても良い。あるいは、操作ディスプレイ２００上の静音ボタン２１４からの入力に限らず、例えば、リモコン等に当該静音ボタン２１４と同等の機能ボタンを設けて、外部からのリモコン上に設けられた当該機能ボタンの押下があったことを制御部５０が検知して、静音モードに移行するように制御しても良い。あるいは、画像形成装置１００とネットワークで接続された端末装置からの外部入力により静音モードに移行するように制御しても良い。例えば、端末装置のディスプレイに表示されたドライバ画面上に静音ボタンと同等の機能ボタンを表示させて、当該機能ボタンの入力（指定）があったかどうかを画像形成装置１００の制御部５０が検知するようしても良い。
【０１２８】
（変形例その６）
図１７は、本発明の実施の形態に従う印字静音モードについて説明するさらに別のフロー図である。
【０１２９】
本変形例の印字静音モードでは、図７〜図１６を参照して説明された印字静音モードおよびその変形例において停止された制御内容の中の複数の制御内容が停止される。
【０１３０】
本変形例では、印字静音モードに移行すると、制御部５０は、ステップＳ１００で、画像形成部１０のローラ駆動制御部１０２におけるローラの回転を停止又は回転速度を変更する。
【０１３１】
次に、制御部５０は、ステップＳ１０２で、ステップＳ７０と同様にファンを停止させる。
【０１３２】
次に、制御部５０は、ステップＳ１０４で、ステップＳ９０と同様に曲がり補正の停止する。
【０１３３】
そして、ステップＳ１０６で、制御部５０は、静音ボタン２１４の再押下があったかどうかを判断する。
【０１３４】
ステップＳ１０６において、静音ボタン２１４の再押下があった場合には、ローラの回転停止または回転速度の変更を解除し、ファン停止を解除し、そして、曲がり補正の停止を解除することによって、静音モードを解除する工程を実行する（ステップＳ１０８）。静音モードを解除する工程の内容については、後述する。そして、処理を終了する（エンド）。
【０１３５】
［８．静音モード解除］
本実施の形態では、上記した各静音モードの処理（図５〜図９，図１１，図１６，図１７）において、各静音モード（起動静音モード、印字静音モード、および、スタンバイ静音モード）が解除される（ステップＳ２８等）際には、段階的に静音モードが解除される。これにより、画像形成装置１００において、稼動音量が低減された状態から、急激に、稼動音量が上昇するのではなく、段階的に稼動音量が上昇する。以下、静音モードを解除する処理の内容について説明する。
【０１３６】
図１８は、図５のステップＳ２８，Ｓ３８，Ｓ４４，Ｓ５４，Ｓ６４，Ｓ７４，Ｓ９４，Ｓ１０８における静音モードを解除する処理（静音モード解除処理）のサブルーチンのフローチャートである。
【０１３７】
図１８を参照して、ステップＳ２６等において静音ボタン２１４の再押下があったと判断すると、制御部５０は、ステップＳＡ１０で、ステップＳ２０等における静音のための動作を解除する動作を実行する。なお、ステップＳＡ１０では、一度の工程で完全に解除動作が実行されるのではなく、複数の段階に分けられた解除動作を１段階ずつ実行される。
【０１３８】
次に、制御部５０は、ステップＳＡ１２で、複数の段階に分けられた解除動作の中でまだ実行されていない解除動作があるか否かを判断し、あると判断するとステップＳＡ１４へ処理を進め、無いと判断すると、処理を各静音モードにリターンさせる。なお、図５〜図９，図１１，図１６，図１７の各静音モードの処理は、図１８に示す静音モードを解除する処理からのリターンがあると、処理を図４のステップＳ４へ戻す。これにより、各静音モードが解除されると、その後静音ボタン２１４が押下された場合、画像形成装置１００のモードは、押下があった時点での画像形成装置１００の状態に応じた静音モード（起動静音モード、印字静音モード、または、スタンバイ静音モード）へと移行する。
【０１３９】
ステップＳＡ１４では、制御部５０は、現在実行されている解除動作の次の段階の解除動画を実行して、ステップＳＡ１２へ処理を戻す。
【０１４０】
以上説明した静音モードを解除する処理の内容を、具体的に説明する。
たとえば、図５または図６では、静音のために、定着部４０の定着ローラ３１２の回転動作が停止される。そして、この場合には、制御部５０は、ステップＳＡ１０において、定着ローラ３１２の回転を再開させる。なお、一度に、停止前の回転速度Ｎまで定着ローラ３１２の回転速度を上げるのではなく、まず、回転速度Ｎより低い回転速度Ｎ１で定着ローラ３１２の回転速度を上げる。詳しくは、メモリ７０に記憶された態様に従って、定着ローラ３１２の回転速度を上げる。メモリ７０には、ステップＳＡ１０を１回、そして、ステップＳＡ１４を（ｍ−１）回実行する場合の、各回の回転速度Ｎ１〜Ｎｍが記憶される。なお、回転速度Ｎｍは、停止前の回転速度Ｎである。制御部５０は、１回目のステップＳＡ１０では定着ローラ３１２の回転速度をＮ１まで上げ、２回目のステップＳＡ１０では定着ローラ３１２の回転速度をＮ２まで上げ、このような処理を順次実行し、そして、ｍ回目のステップＳＡ１０で定着ローラ３１２の回転速度をＮｍ（＝Ｎ）まで上げて、処理をリターンさせる。
【０１４１】
なお、図１８を参照して説明した、複数の段階に分けて静音のために停止等された動作を静音モード前の状態に復帰させる処理では、１段階ごとに復帰させる工程が実行された後、所定時間の経過を待って、次の段階の工程が実行されることが好ましい。つまり、ステップＳＡ１０が実行された後、または、ステップＳＡ１４が実行された後、所定時間の経過を待って、次のステップＳＡ１４が実行されることが好ましい。
【０１４２】
また、図１８の処理では、図８において静音のために回転を停止または回転速度を遅くされた搬送用のローラについても、上記の定着ローラ３１２と同様に、段階的に回転速度を上げられる。搬送用のローラの回転速度の上昇および低下は、画像形成装置１００内の用紙の搬送速度に上昇および低下に一致する。そして、搬送用のローラの回転速度が上昇／低下は、画像形成装置１００内から排紙トレイ２３に排出される単位時間あたりの用紙の数の上昇／低下と一致する。ここで、感光体への画像形成にポリゴンミラーが用いられる場合、当該ポリゴンミラーの回転数を変更することなく用紙の搬送速度を変更するために、搬送用のローラの回転速度は、静音のための停止前の速度を１００％とした場合、１２．５％、２５％、５０％、１００％の順に上昇させられることが好ましい。
【０１４３】
また、図１８の処理では、図１１において静音のために回転を停止された機内用ファン３００の回転数についても、上記の定着ローラ３１２の回転速度と同様に、段階的に上げられる。
【０１４４】
（変形例その１）
静音モードにおいて、静音のために複数の要素の動作が静音のための停止された場合、静音モードを解除する処理では、各要素の停止の解除が順に行なわれることによって、段階的に稼動音量が上げられても良い。
【０１４５】
図１９は、図１８に示された処理の変形例のフローチャートである。なお、図１９は、図６のスタンバイ静音モードの処理に対応した処理のフローチャートである。つまり、図１９では、複数の要素の一例として、定着ローラ３１２、ヒータ３１４およびファン３１０が挙げられている。
【０１４６】
図１９を参照して、ステップＳ３６において静音ボタン２１４の再押下があったと判断すると、制御部５０は、ステップＳＡ２０で、定着ローラ３１２の回転動作の停止を解除（回転を再開）させて、ステップＳＡ２２へ処理を進める。
【０１４７】
ステップＳＡ２２では、制御部５０は、ヒータ３１４の通電を再開して、ステップＳＡ２４へ処理を進める。
【０１４８】
ステップＳＡ２４では、制御部５０は、ファン３１０の回転動作の停止を解除（回転を再開）させて、処理を図６へリターンさせる。
【０１４９】
なお、ステップＳＡ２２は、ステップＳＡ２０の工程完了後、一定時間経過を条件として実行されることが好ましい。また、ステップＳＡ２４は、ステップＳＡ２２の工程完了後、一定時間経過を条件として実行されることが好ましい。
【０１５０】
また、ステップＳＡ２０では、所定時間が経過するごとに段階的に定着ローラ３１２の回転速度が上げられても良い。また、ステップＳＡ２４では、所定時間が経過するごとに段階的にファン３１０の回転数が上げられても良い。
【０１５１】
（変形例その２）
図７や図９を参照して説明した各静音モードでは、静音のためにさらに搬送用ローラの回転速度を低下させて用紙搬送速度を低下しても良い。
【０１５２】
このような場合、ステップＳ４４やステップＳ６４における、静音モードを解除する工程では、パッチ補正動作の停止の解除またはモータ１１４の駆動モードのＢモードからＡモードへの変更とともに、搬送用ローラの回転速度の上昇（復帰）が実行される。図２０は、本変形例における静音モード解除処理のサブルーチンのフローチャートである。
【０１５３】
図２０を参照して、本変形例における静音モード解除処理では、制御部５０は、ステップＳＡ３０で搬送用ローラの回転速度を上昇させることができるか否かを判断し、上昇できると判断すると、ステップＳＡ３２で、搬送用ローラの回転速度を静音モードへの移行前の回転速度まで上昇させて、ステップＳＡ３４へ処理を進める。一方、ステップＳＡ３０で回転速度の上昇ができないと判断すると、制御部５０は、そのままステップＳＡ３４へ処理を進める。なお、搬送用ローラの回転速度を上昇できない場合とは、たとえば、静音モードに移行する際に搬送用ローラの回転速度を低下させていない場合が考えられる。
【０１５４】
ステップＳＡ３４では、制御部５０は、静音モードを解除するためのその他の工程（パッチ補正動作の停止の解除またはモータ１１４の駆動モードのＢモードからＡモードへの変更）を実行して、図７または図９へ処理を戻す。
【０１５５】
（変形例その３）
図２０の変形例において、搬送用ローラの回転速度を、複数段階に分けて上昇させることができる。図２１は、図２０の変形例における静音モード解除処理のサブルーチンのフローチャートである。
【０１５６】
図２１を参照して、本変形例における静音モード解除処理では、制御部５０は、ステップＳＡ４０で、搬送用ローラの回転速度がまだ上昇させることができるか否かを判断する。搬送用ローラの回転速度がまだ静音モード移行前の速度まで復帰していなければ、制御部５０は、当該速度をまだ上昇させることができるとしてステップＳＡ４２へ処理を進める。一方、すでの静音モード移行前の速度まで復帰していると判断すると、制御部５０は、ステップＳＡ４４へ処理を進める。
【０１５７】
ステップＳＡ４２では、制御部５０は、搬送用ローラの回転速度を１段階分上昇させて、ステップＳＡ４０へ処理を戻す。
【０１５８】
一方、ステップＳＡ４４では、制御部５０は、静音モードを解除するためのその他の工程（パッチ補正動作の停止の解除またはモータ１１４の駆動モードのＢモードからＡモードへの変更）を実行して、図７または図９へ処理を戻す。
【０１５９】
（変形例その４）
印字静音モード（図７〜図１７）を解除する場合、制御部５０は、これから実行するジョブについて、各ジョブが実行される際の駆動音量を予測し、予測される駆動音量が小さい順に実行しても良い。これにより、静音モードを解除する処理が実行されている間、駆動音量を段階的に大きくすることができる。
【０１６０】
図２２は、本変形例における静音モード解除処理のサブルーチンのフローチャートである。
【０１６１】
図２２を参照して、静音モード解除処理では、制御部５０は、まずステップＳＡ５０で予約テーブルを確認する。具体的には、現在、メモリ７０に記憶されている予約されているジョブが格納された予約テーブルを確認する。次に、ステップＳＡ５２で、予約テーブルに格納されたジョブを再配列する。次に、ステップＳＡ５４で、再配列されたジョブに従って予約テーブルを更新する。そして、ステップＳＡ５６で、当該更新された予約テーブルに従った順序で、ジョブを実行し、静音モード解除処理を終了させる。
【０１６２】
ここで、予約テーブルの更新は、図１３を参照して説明した予約テーブルの更新と同様とすることができる。また、予約テーブルに格納されたジョブの再配列では、たとえば図１４を参照して説明したようにジョブごとに点数を付け、点数が低い順に、つまり、実行の際の稼動音量が低いと予測されるジョブから順に、実行するように配列が変更されても良い。この例では、ジョブごとの点数の算出が、ジョブごとの稼動音の大きさの予測に相当する。
【０１６３】
なお、上記した稼動音量に対応する点数の算出の代わりに、想定される音量を算出しても良い。具体的には、画像形成装置１００の各要素が稼動する際に発生すると予測される音量を予めメモリ７０に記憶しておく。また、画像形成装置１００内を用紙が搬送される際に発生すると予測される音量を予めメモリ７０に記憶しておく。そして、各ジョブの実行の際に稼動すると考えられる画像形成装置１００の要素を選出し、選出された要素について記憶された音量の和を算出し、当該和に用紙搬送の音量を加算することにより、ジョブごとに発生すると予測される音量が算出される。
【０１６４】
また、静音モードを解除する処理では、予測される稼動音量の低い順にジョブを実行しながら、ファンの回転数やモータの回転速度を段階的に上昇させても良い。
【０１６５】
［９．その他の変形例等］
以上説明した本実施の形態では、各種静音モードへの移行および当該静音モードの解除の指示は、ユーザが静音ボタン２１４を押下に応じて、制御部５０へ入力された。なお、画像形成装置１００における制御部５０への上記移行および解除の指示は、他の態様によって入力されても良い。たとえば、上記移行および／または解除についてのタイマ設定がなされている場合には、制御部５０は、当該タイマ設定において設定された時刻が到来すると、上記移行および／または解除の指示が入力されたとして、各図に示された処理を実行する。タイマ設定は、入力部６０に対して入力された情報に基づいて設定されても良いし、画像形成装置１００に通信機能を設け、当該通信機能によってネットワークを介して受信した情報に基づいて設定されても良い。タイマ設定に関する情報（静音モードへと移行する時刻等）は、たとえば、メモリ７０に記憶される。そして、この場合には、制御部５０によって入力手段が兼用構成される。
【０１６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６７】
１０  画像形成部、１５，１６  給紙部、１７  補正機構、１８  補正ローラ、１９  タイミングローラ、２０  原稿搬送部、２１  原稿台、２２  搬送ローラ、２３  排紙トレイ、２６  画像読取部、３０  後処理部、４０  定着部、４２  定着ローラ駆動制御部、４４  ファン制御部、４６  ヒータ制御部、５０  制御部、５２  機内用ファン制御部、６０  入力部、７０  メモリ、１００  画像形成装置、１０２  ローラ駆動制御部、１０４  曲がり補正部、１０６  パッチ補正部、１１２  モータドライバ、１１４  モータ、２００  操作ディスプレイ、２０２  １０キー、２０４  集音マイク、２０８  認証センサ、２１０  スタートボタン、２１２  表示部、２１４  静音ボタン、３００  機内用ファン、３１０  ファン、３１２  定着ローラ、３１４  ヒータ。
【図１】
2012108365.tif 000003
【図２】
2012108365.tif 000004
【図３】
2012108365.tif 000005
【図４】
2012108365.tif 000006
【図５】
2012108365.tif 000007
【図６】
2012108365.tif 000008
【図７】
2012108365.tif 000009
【図８】
2012108365.tif 000010
【図９】
2012108365.tif 000011
【図１０】
2012108365.tif 000012
【図１１】
2012108365.tif 000013
【図１２】
2012108365.tif 000014
【図１３】
2012108365.tif 000015
【図１４】
2012108365.tif 000016
【図１５】
2012108365.tif 000017
【図１６】
2012108365.tif 000018
【図１７】
2012108365.tif 000019
【図１８】
2012108365.tif 000020
【図１９】
2012108365.tif 000021
【図２０】
2012108365.tif 000022
【図２１】
2012108365.tif 000023
【図２２】
2012108365.tif 000024
【手続補正書】
【提出日】平成24年2月3日(2012.2.3)
【手続補正１】
【補正対象書類名】明細書
【補正対象項目名】００１３
【補正方法】変更
【補正の内容】
【００１３】
また、本発明の画像形成装置では、稼動部は、画像を形成された記録用紙に対する後処理動作を実行する後処理手段を有し、指標は、当該指標が対応する設定内容が後処理動作を含まない場合よりも含む場合の方が、稼動部の稼動音が大きいことを示す値になることが好ましい。
【手続補正２】
【補正対象書類名】明細書
【補正対象項目名】００４８
【補正方法】変更
【補正の内容】
【００４８】
制御部５０は、静音ボタンが押下されたと判断した場合（ステップＳ４においてＹＥＳ）には、次に、起動中であるかどうかを判断する（ステップＳ６）。電源がＯＮされた直後において画像形成装置１００は、一般的に起動処理を開始する。起動処理としては、各部が正常に駆動するか否かを判断する動作（イニシャル動作）が実行される。例えば、定着部４０においては、定着ローラ３１２の回転動作が開始される。また、定着部４０内に設けられたファン３１０が回転する。また、定着部４０に設けられたヒータ３１４に対する通電制御が実行される。イニシャル動作として、他の部位においても、正常に駆動するか否か判断するための所定の動作が実行される。
【手続補正３】
【補正対象書類名】明細書
【補正対象項目名】００４９
【補正方法】変更
【補正の内容】
【００４９】
そして、制御部５０は、静音ボタンの入力が起動中であると判断した場合（ステップＳ６においてＹＥＳ）には、起動静音モードに移行する（ステップＳ８）。起動静音モードの詳細については後述する。
【手続補正４】
【補正対象書類名】明細書
【補正対象項目名】００５０
【補正方法】変更
【補正の内容】
【００５０】
ステップＳ６において、制御部５０は、静音ボタンの入力が起動中でないと判断した場合（ステップＳ６においてＮＯ）には、静音ボタンの入力が印字動作中であるかどうかを判断する（ステップＳ１０）。印字動作中である場合とは、画像形成装置１００が起動時ではなく、また、スタンバイ時でもない画像形成等の処理が実行されている場合である。
【手続補正５】
【補正対象書類名】明細書
【補正対象項目名】０１１１
【補正方法】変更
【補正の内容】
【０１１１】
そして、ステップＳ８２では、当該点数に従って、低い点数順にジョブを再配列する。
なお、点数が低いほど、静音化可能、つまり、ジョブを実行する際の稼動音量が小さいジョブと言える。図１４の各項目を稼動音量の観点から検討すると、用紙サイズが小さいほど、用紙の厚さが薄いほど、また、印字速度が遅いほど、当該用紙が画像形成装置１００内で搬送される際に発生する音が小さく、また、定着部４０における定着温度を低く設定できるため機内用ファン３００の回転数を低く設定でき、これにより、当該ファンの回転によって発生する音量を低くできると考えられるからである。また、モノクロプリントの方がカラープリントよりも定着部４０における定着温度を低く設定できるため、機内用ファン３００の回転数を低く設定でき、これにより、機内用ファン３００の回転によって発生する音量を低くできると考えられるからである。また、後処理動作の際には音が発生するため、実行する後処理動作の数が少ないほど、発生する音量は低くできる。また、低画質であれば画像を形成される用紙における印字率（用紙の印字面積に対するトナーを転写される面積の割合）が低くなり、これにより、定着部４０における定着温度を低く設定でき、機内用ファン３００の回転数を低く設定できるためである。なお、画質の高低は、たとえば印刷対象によって判定できる。具体的には、文字画像の場合には低画質であり、写真画像の場合には高画質であると判断される。
【手続補正６】
【補正対象書類名】明細書
【補正対象項目名】０１２５
【補正方法】変更
【補正の内容】
【０１２５】
当該印字静音モードにおいて、例えば、制御部５０が曲がり補正部１０４に対して曲がり補正の停止を指示するとともに、補正ローラ１８を冷却するための機内用ファン３００の回転を停止させる。これにより、印字時中における騒音材料となる機内用ファン３００の回転をすぐに停止して、稼動音量を低減して静音状態とすることが可能である。
【手続補正７】
【補正対象書類名】明細書
【補正対象項目名】０１３９
【補正方法】変更
【補正の内容】
【０１３９】
ステップＳＡ１４では、制御部５０は、現在実行されている解除動作の次の段階の解除動作を実行して、ステップＳＡ１２へ処理を戻す。
【手続補正８】
【補正対象書類名】明細書
【補正対象項目名】０１４０
【補正方法】変更
【補正の内容】
【０１４０】
以上説明した静音モードを解除する処理の内容を、具体的に説明する。
たとえば、図５または図６では、静音のために、定着部４０の定着ローラ３１２の回転動作が停止される。そして、この場合には、制御部５０は、ステップＳＡ１０において、定着ローラ３１２の回転を再開させる。なお、一度に、停止前の回転速度Ｎまで定着ローラ３１２の回転速度を上げるのではなく、まず、回転速度Ｎより低い回転速度Ｎ１で定着ローラ３１２の回転速度を上げる。詳しくは、メモリ７０に記憶された態様に従って、定着ローラ３１２の回転速度を上げる。メモリ７０には、ステップＳＡ１０を１回、そして、ステップＳＡ１４を（ｍ−１）回実行する場合の、各回の回転速度Ｎ１〜Ｎｍが記憶される。なお、回転速度Ｎｍは、停止前の回転速度Ｎである。制御部５０は、１回目のステップＳＡ１０では定着ローラ３１２の回転速度をＮ１まで上げ、１回目のステップＳＡ１４では定着ローラ３１２の回転速度をＮ２まで上げ、ステップＳＡ１４を順次実行し、そして、（ｍ−１）回目のステップＳＡ１４で定着ローラ３１２の回転速度をＮｍ（＝Ｎ）まで上げて、処理をリターンさせる。
【手続補正９】
【補正対象書類名】特許請求の範囲
【補正対象項目名】請求項５
【補正方法】変更
【補正の内容】
【請求項５】
前記稼動部は、画像を形成された記録用紙に対する後処理動作を実行する後処理手段を有し、
前記指標は、当該指標が対応する前記設定内容が前記後処理動作を含まない場合よりも含む場合の方が、前記稼動部の稼動音が大きいことを示す値になる、請求項３または請求項４記載の画像形成装置。
【手続補正１０】
【補正対象書類名】図面
【補正対象項目名】図９
【補正方法】変更
【補正の内容】
【図９】
2012108365.tif 000025